(57)【要約】【課題】  ホールドジョブリスト表示画面上からジョブを選択し印刷実行する前に、選択されたジョブの印刷に必要な用紙が、プリンタのカセットにセットされているかどうかが分からなかった。  用紙がセットされているかどうかを判断するためには、印刷を実行し、用紙なしエラーの発生有無を確認する。またはプリンタにセットされている用紙のリストと、選択ジョブで使用されている用紙種を比較するしかなく、処理が煩雑であった。【解決手段】  上記課題を解決するために、ホールドジョブリスト表示画面上で、デバイスに用紙がセットされていない用紙種の場合には空欄表示にし、ユーザが用意に識別可能にする。【選択図】  図９
2011009980.tif 000002
【特許請求の範囲】
【請求項１】
印刷ジョブを作成する印刷ジョブ作成手段(４a)と、
上記印刷ジョブで使用する用紙種を指定する用紙種指定手段（２３３）と、
印刷ジョブを一時保存する印刷ジョブ一時保存手段（１３ｂ）と、
上記印刷ジョブ一時保存手段に保存されたジョブの情報を表示する印刷ジョブリスト表示手段(９０)を持つ印刷システムにおいて、
プリンタにセットされている用紙種情報を取得する用紙種情報取得手段（１２ｇ）と、
上記印刷ジョブリスト表示手段は、上記用紙種情報取得手段で取得した用紙情報に記載されていない用紙種は空欄表示する用紙種表示手段（９４、S8）を所持することを特徴とする印刷システム。
【発明の詳細な説明】
【技術分野】
【０００１】
本発明は、印刷ジョブを一旦ホールドし、ホールドしたジョブで使用されている用紙をプリンタにセットした後に、ホールドジョブ印刷を実行する印刷システムに関する。
【背景技術】
【０００２】
従来の出力装置及び設定内容を一覧出力する設定一覧出力方法には、プリンタ機種毎にカセットとカセットにセットされている用紙情報を印字するものがある。(例えば特許文献１参照)
【先行技術文献】
【特許文献】
【０００３】
【特許文献１】特開２００８−９４０８３号公報
【発明の概要】
【発明が解決しようとする課題】
【０００４】
しかし上記従来技術は、プリンタ機種毎にカセットとカセットにセットされている用紙情報を印字することを述べているのみであり、これから印刷を実行するジョブで使用する用紙の有無は分からない。且つ、カセットにセットされていない場合の表示方法も分からない。
【課題を解決するための手段】
【０００５】
印刷ジョブを作成する印刷ジョブ作成手段(４a)と、
上記印刷ジョブで使用する用紙種を指定する用紙種指定手段（２３３）と、
印刷ジョブを一時保存する印刷ジョブ一時保存手段（１３ｂ）と、
上記印刷ジョブ一時保存手段に保存されたジョブの情報を表示する印刷ジョブリスト表示手段(９０)を持つ印刷システムにおいて、
プリンタにセットされている用紙種情報を取得する用紙種情報取得手段（１２ｇ）と、
上記印刷ジョブリスト表示手段は、上記用紙種情報取得手段で取得した用紙情報に記載されていない用紙種は空欄表示する用紙種表示手段（９４、S8）を所持することを特徴とする印刷システムである。
【発明の効果】
【０００６】
以上説明したように本発明によれば、ホールドされているジョブで使用されている用紙種がプリンタにセットされているかどうかを容易に判断することが出来る。
【図面の簡単な説明】
【０００７】
【図１】印刷システム構成図である。
【図２】ホットフォルダ部の構成図である。
【図３】デジタルプリント部の構成図である
【図４】実施例に置ける詳細印刷システム構成図である。
【図５】実施例に置けるホットフォルダクライアントPCとホットフォルダサーバのブロック図である。
【図６】実施例に置けるホットフォルダアプリとホットフォルダサーバアプリとジョブ管理アプリの詳細ブロック図である。
【図７】実施例に置けるカラーMFPのブロック図である。
【図８】実施例に置けるMFP制御部のブロック図である。
【図９】実施例におけるホールドジョブリストを表示する画面を説明する図である。
【図１０】実施例における第一のフローチャートである。
【図１１】実施例におけるホールドジョブの詳細情報を表示する画面を説明する図である。
【図１２】実施例を説明する第二のフローチャートである。
【図１３】実施例におけるホットフォルダからの印刷設定画面を説明する図である。
【図１４】実施例におけるホットフォルダからの印刷設定画面を説明する第二の図である。
【発明を実施するための形態】
【０００８】
以下、本発明を実施するための最良の形態について図面を用いて説明する。
【０００９】
［実施例］
本実施例では、印刷ジョブを作成するアプリケーションとして、ホットフォルダを使用して説明する。
【００１０】
以降、図１から図３を用いて従来及び本発明におけるホットフォルダを使用したPODシステムの構成の一例を説明する。
【００１１】
また、図４から図８を用いて、ホットフォルダを使用した詳細PODシステム構成の一例を説明する。
【００１２】
図１は、PODシステムの一例であり、且つ本発明における印刷システム全体の基本構成の一例も示すブロック図である。
【００１３】
本ブロック図は、一つまたは複数のオペレータ環境である１，２と、インターネットを介して接続されているＰＯＤ（Ｐｒｉｎｔ  Ｏｎ  Ｄｅｍａｎｄ）サイト環境３から成っている。
【００１４】
オペレータ環境１と２では、PODサイトで印刷するデータを作成している。オペレータ環境には、プリントの発注依頼を行う発注者が存在している。それぞれのオペレータ環境（ここでは、オペレータ環境Ａ及び、オペレータ環境Ｂ）からそれぞれのクライアントＰＣを利用して、プリントジョブの依頼を始めとして、ジョブのステータス確認などができる。
【００１５】
一方、ＰＯＤサイト環境３においては、通常はホットフォルダ４、デジタルプリント部５から成り立っている。が、ディジタル複写機やディジタル複合機等のディジタル画像形成装置に接続されているフィニッシング装置の機能や能力で不足する場合には、ポストプレス部を加えた３つから成り立っている場合もある。
【００１６】
ホットフォルダ部４は、投入されたファイルに印刷指示書を付けて、ディジタルプリント部５へ転送する役割を果たしている。また、工程管理の役割も果たしている。ＰＯＤサイト環境におけるホットフォルダ部４、ディジタルプリント部５、(構成に加えられているならばポストプレス部)の各工程に対して作業を指示し、コンピュータや各種デバイスにより構成される本システムのワークフローを一元管理する部分である。そして、前述のオペレータからジョブを受信したり、オペレータからのジョブを保管したり、各デバイスや各作業者における作業を効率よくスケジュールしたりといった役割を果たすものである。
【００１７】
ディジタルプリント部５は、ホットフォルダ部より受信した印刷ジョブの作業指示に従って、印刷処理を実行するものである。また、その他のPOD処理としては、白黒ＭＦＰやカラーＭＦＰ等によりオペレータから受け取った紙原稿をコピーする。また、クライアントＰＣからプリンタドライバを経由して、オペレータから受信した文書／画像ファイル。また、スキャンデバイスによりスキャンしたスキャン画像ファイル。また、それらを編集した文書／画像ファイルを白黒ＭＦＰやカラーＭＦＰ等のプリントデバイスにプリントアウトしたりといった役割を果たすものである。
【００１８】
また、ポストプレス部が構成されていた場合には、ホットフォルダ部あるいはディジタルプリント部より受信したポストプレスジョブの作業指示に従って、紙折り機、中綴じ製本機、くるみ製本機、断裁機、封入機、帳合機等の後処理デバイスを制御する。それとともに、ディジタルプリント部より出力された記録紙に対して、紙折り、中綴じ製本、くるみ製本、断裁、封入、帳合等の仕上げ処理を実行するという役割を果たすものである。
【００１９】
図２は、上記印刷システムにおけるホットフォルダ部４の構成の一例を示すブロック図である。
【００２０】
ホットフォルダ部４は、ネットワークに接続されたホットフォルダサーバ２０、ファイルサーバ２１、ホットフォルダクライアント２２と２３などから成り立っている。
【００２１】
ここで、ホットフォルダサーバ２０は、受注から納品までのシステム全体のワークフローを管理すると共に、ホットフォルダクライアント２２と２３を制御するサーバである。
【００２２】
ファイルサーバ２１は、インターネットを利用して、オペレータ環境から印刷用のコンテンツファイルを受信するサーバである。また、オペレータからの同一原稿による再発注に備えて、オペレータから受信したファイルを保管するため文書管理サーバである。一般に、画像データと前回出力の際の印刷ジョブを一緒に保存してある。
【００２３】
ホットフォルダクライアント２２と２３は、オペレータから受信したファイルを、ホットフォルダサーバに送り、PODシステム３内で処理可能な形式でデジタルプリント部へ出力するホットフォルダクライアントアプリがインストールされている。例えば、オペレータからコンテンツファイルを受信した場合には、ホットフォルダクライアント２２または２３上でJDFを付加した印刷ジョブに変換され、デジタルプリント部へsubmitされる。ホットフォルダ部におけるこれらのホットフォルダサーバ２０、ファイルサーバ２１、ホットフォルダクライアント２２と２３間で使用される印刷指示情報は、例えばＪＤＦ（Ｊｏｂ  Ｄｅｆｉｎｉｔｉｏｎ  Ｆｏｒｍａｔ）を使用する。このJDFはジョブの作業指示を記載したジョブチケットなどを利用して情報交換している。そして、印刷ジョブを転送したり、制御コマンドを発行したりして、ホットフォルダ部４を中心にディジタルプリント部５、(更にポストプレス部)などと連携をとってトータルなワークフローの自動化を提供している。
【００２４】
図３は、上記印刷システムにおけるディジタルプリント部５の構成の一例を示すブロック図である。
【００２５】
ここには、ネットワークに接続されたプリントサーバ３０、クライアントＰＣ３１と３２、カラーＭＦＰ３５，３６、３７及び白黒ＭＦＰ３３，３４がそれぞれ１つまたは複数個存在している。
【００２６】
プリントサーバ３０は、２つの役割を持っている。１つ目はディジタルプリント部の外部と情報の送受であり、入稿されるジョブの画像情報や設定情報などは、まずプリントサーバに入力され、そのジョブが終了するとステータスなどの情報を外部に知らせる役割を持っている。もう１つはディジタルプリント部内部の管理制御であり、外部から入力されたジョブ及び、ディジタルプリント部５の内部で発生したジョブは、プリントサーバ３０にて一元管理されている。そして、ディジタルプリント部の内部にある全てのデバイスと全てのジョブの状況が監視できると共に、ジョブの一時停止、設定変更、印刷再開あるいは、ジョブの複製、移動、削除などの制御が行えるようになっている。
【００２７】
クライアントＰＣ３１、３２は、プリントサーバ３０内で管理されているデバイスやジョブの監視や制御の補佐する役割を持っている。また、その他のPOD業務においては、入力されたアプリケーションファイルの編集、印刷指示、あるいは、プリントレディファイルの投入の役割を持っている。
【００２８】
カラーＭＦＰ３５，３６，３７及び白黒ＭＦＰ３３，３４は、スキャン、プリント、コピーなど様々な機能を有する画像形成装置であり、カラーＭＦＰと白黒ＭＦＰとでスピードやコストなどが異なるため、それぞれの用途に応じて使い分ける。また、カラーＭＦＰ３７にはフィニッシャ装置が接続されている。
【００２９】
図４は、本発明において印刷システム全体の基本構成の一例を示す一つのブロック図である。図1の印刷システム全体の基本構成ブロック図から本発明を説明するのに必要な構成を残した図であり、以降はこの図を使って実施例を説明する。
【００３０】
本実施例では、印刷システム内のホットフォルダ部としては、ホットフォルダクライアントPC２２，２３，２４とホットフォルダサーバPC20で構成されるとする。またデジタルプリント部としてはカラーMFP３７と３６で構成される。カラーMFP３７の内部構成は印刷ジョブの受信からジョブ内に記録されている情報に従って印刷原稿の出力までを処理するカラーMFP本体部と、MFP本体部から印刷原稿の搬送路として接続されているインラインフィニッシャとから成る。そしてLAN等のネットワークで接続されており、ホットフォルダクライアントPC２２やホットフォルダサーバPC20やカラーMFP３７などの上記の各機器は上記LANで接続されている。
【００３１】
本実施例では、ホットフォルダクライアントアプリ４６等にオペレータがファイルを投入することが、印刷開始指示であるとする。ファイルの投入は、ファイルをマウスポインタでフォルダ上へDrag&Dropする様にオペレートすることによっても構わない。また、バッチファイル等のプログラムによってファイルをコピーする事によって行っても構わない。ファイルが投入された事をイベントによって検知すると、ホットフォルダクライアントアプリは、投入されたファイルをホットフォルダサーバに転送する。ホットフォルダサーバでは、受信したファイルから印刷ジョブを作成し、指示された印刷機に転送する。
【００３２】
図５は、図４のホットフォルダクライアントPC２２とホットフォルダサーバPC２０を説明するブロック図である。４６はファイルを投入するためのホットフォルダクライアントアプリである。4aはホットフォルダサーバアプリであり、複数のホットフォルダクライアントアプリを管理している。また、４９はジョブ管理アプリであり、ホットフォルダサーバアプリから送信された印刷ジョブのステータスを監視＆表示する。
【００３３】
図６はホットフォルダクライアントアプリ４６とホットフォルダサーバアプリ4aとジョブ管理アプリ４９を説明するブロック図である。
【００３４】
１２０はホットフォルダに投入された印刷ジョブを生成する際に実行される。この１２０は、上記印刷ジョブの識別を可能にするホットフォルダ名称やホットフォルダに投入されたファイルにシーケンシャルに振られる連番やファイルの投入日付から構成される識別情報を作成する識別情報作成部である。１２１はホットフォルダアプリ４６に付随して設定されている印刷指示情報を元にして印刷指示情報ファイルであるJDFを作成作成するJDF生成部である。１２２は投入されたファイルとJDF生成部１２１で作成されたJDFファイルをホットフォルダサーバアプリ4aに送信するデータ送信部である。
【００３５】
１２３は、ホットフォルダクライアントアプリのデータ送信部１２２から送信されたファイルを受信するデータ受信部である。ホットフォルダサーバアプリ4aは、受信した印刷対象のコンテンツファイルをコンテンツチェック部１２４でサポート対象かどうかをチェックする。チェックする方法は、印刷対象のファイル種かどうか、またそのファイルフォーマットバージョン等によって行う。そして受信したJDFファイルとコンテンツファイルを使用して、MIMEエンコーディングを行い、JDF仕様に準拠したJDFジョブデータを生成するのがジョブデータ生成部１２５である。１２６は、ジョブデータ生成部１２５で作成された印刷ジョブをジョブ管理アプリに送信するとする。ホットフォルダから送信する印刷ジョブを管理し、CRT等の表示手段にそのステータスを表示する必要がない場合には、ホットフォルダサーバアプリからカラMFP等の印刷機に直接送信する用に構成しても構わない。印刷先は、ホットフォルダアプリ毎に事前にホットフォルダ作成時に設定されているものとする。
【００３６】
１２７は、データ受信部であり、ホットフォルダサーバアプリのデータ送信部１２６から送信された印刷ジョブデータを受信する。１２８はジョブ管理アプリ全体の処理を制御する制御部であり、１２ｂは受信した印刷ジョブに記録されているジョブチケットであるJDFを解析するジョブチケット解析部である。１２ｃは、ジョブ管理アプリ４９に記録されているジョブからコンテンツデータをエクスポートする処理を制御するコンテンツエクスポート制御部である。１２ｄはジョブからコンテンツをエクスポートする際に、コンテンツファイルの作成を実際に行うコンテンツ生成部である。ユーザからキーボードによって指定されたパスのフォルダ下にファイルを作成したり、コンテンツエクスポート制御部１２ｃの指示に従って、コンテンツの頁順を入れ替えたりする。12eはデータ受信部１２７で受信された結果に基づき、ジョブ記録部1２ｆに記録されている情報を更新する、ジョブ管理情報更新部である。１２９は、ジョブ管理情報更新部１2eで管理されているジョブ情報を画面に表示する表示部である。１2aは、ジョブ管理アプリからジョブをＭＦＰ３７等へ送信する。またMFP３７からジョブのステータス情報を受け取り、ジョブのステータス情報をジョブ記録部1２ｆへ記録し、その更新されたステータス情報を、表示部１２９を使用して画面に表示する印刷ジョブ送信・更新部である。また、MFP３７で実行中またはホールドされているジョブの情報の取得も行う。１２ｇはＭＦＰ３７の情報を取得するデバイス情報管理部である。MFP３７にセットされている用紙のサイズや種類や、MFP37が所持するフィニッシング機能の情報などを取得し記録する。
【００３７】
図７はカラーMFP３７を詳細に説明するブロック図である。
【００３８】
ＭＦＰとは、自装置内部に複数のジョブのデータを記憶可能なハードディスク等のメモリを具備した装置である。例えば、スキャナから出力されたジョブデータに対し該メモリを介してプリンタ部でプリント可能にするコピー機能を具備する。また、コンピュータ等の外部装置から出力されたジョブデータに対し該メモリを介してプリント部でプリント可能にするプリント機能等の複数の機能を具備した画像形成装置である。
【００３９】
ＭＦＰには、フルカラー機器とモノクロ機器があり、３７はカラーMFPである。
【００４０】
又、本印刷システムの構成に関しては、上記の如く、複数の機能を具備したMFP(複合機能型の画像形成装置)を有するとした。が、プリント機能＋フィニッシング機能のみを具備した画像形成装置を具備する構成でも良い。また、いずれか一方のタイプの画像形成装置のみを具備する構成でも良い。又、何れのタイプの画像形成装置であっても、複数台具備する構成でも良い。いずれにしても、本形態の制御が実現可能な構成であればよい。
【００４１】
図７に示すように、紙原稿などの画像を読み取り、読み取られた画像データを画像処理する入力画像処理部１３１。ファクシミリなどに代表される電話回線を利用した画像の送受信を行うＦＡＸ部１３２。ネットワークを利用して画像データや装置情報をやりとりするＮＩＣ（Ｎｅｔｗｏｒｋ  Ｉｎｔｅｒｆａｃｅ  Ｃａｒｄ）部１３３。外部装置と画像データなどの情報交換を行う専用インターフェース部１３４。あるいは、ＵＳＢ（Ｕｎｉｖｅｒｓａｌ  Ｓｅｒｉａｌ  Ｂｕｓ）メモリ（リムーバブルメディアの一種）に代表されるＵＳＢ機器と画像データなどを送受するＵＳＢインターフェース（ＵＳＢ  Ｉ／Ｆ）部１３５とを備えている。
【００４２】
そして、ＭＦＰ制御部１３０では、ＭＦＰの用途に応じて画像データを一時保存したり、経路を決定したりといった交通整理の役割を担っている。
【００４３】
次に、文書管理部１３ｂは、複数の画像データを格納可能なハードディスク等のメモリを具備している。例えば、画像形成装置が具備する制御部（例えばＭＦＰ制御部のＣＰＵなど）が主体となって制御する。そして、入力画像処理部からの画像データや、ＦＡＸ部を介して入力されたファクシミリジョブの画像データ。また、ＮＩＣ部を介して入力されたコンピュータ等の外部装置からの画像データや、専用Ｉ／Ｆ部やＵＳＢ  Ｉ／Ｆ部を介して入力された様々な画像データ等の複数種類の画像データを、該ハードディスクに複数格納可能に制御する。そして、該ハードディスクに格納された画像データを適宜読み出して、プリンタ部１３９等の出力部に転送して、該プリンタ部によるプリント処理等の出力処理を実行可能に制御する。又、オペレータからの指示により、ハードディスクから読み出した画像データを、コンピュータや他の画像形成装置等の外部装置に転送可能に制御する。又、文書管理部13bに記録されている印刷可能なデータは、ジョブ管理アプリ４９からはホールドジョブとして参照される。
【００４４】
画像データを文書管理部１３ｂに記憶する際には、必要に応じて、画像データを圧縮して格納したり、逆に圧縮して格納された画像データを読み出す際に元の画像データに伸張して戻したりするなどの処理に対して圧縮伸張部１３aを介して行っている。また、データがネットワークを経由する際には、ＪＰＥＧ、ＪＢＩＧ、ＺＩＰなど圧縮データを使用することも一般知られており、データがＭＦＰに入った後、この圧縮伸張部にて解凍（伸張）される。
【００４５】
また、リソース管理部１３cは、フォント、カラープロファイル、ガンマテーブルなど共通に扱われる各種パラメータテーブルなどが格納されている。そして、必要に応じて呼び出すことができると共に、新しいパラメータテーブルを格納したり、修正して更新したりすることができる。
【００４６】
次に、ＭＦＰ制御部では、ＰＤＬデータが入力された場合には、ＲＩＰ部１３７でＲＩＰ（Ｒａｓｔｅｒ  Ｉｍａｇｅ  Ｐｒｏｃｅｓｓｏｒ）処理を施す。また、プリントする画像に対して、必要に応じて出力画像処理部１３８でプリントのための画像処理を行ったりする。更に、その際に作られる画像データの中間データやプリントレディデータ（プリントのためのビットマップデータやそれを圧縮したデータ）を必要に応じて、文書管理部１３ｂで再度格納することもできる。
【００４７】
そして、画像形成を行うプリンタ部１３９に送られる。プリンタ部１３９でプリントアウトされた印刷原稿シートは後処理部であるインラインフィニッシャ１３aへ送り込まれ、シートの仕分け処理やシートの仕上げ処理が行われる。
【００４８】
ここで、ＭＦＰ制御部は円滑にジョブを流す役割を担っており、ＭＦＰの使い方に応じて、パス切り替えが行われている。以下に一例を示す。必要に応じて利用される圧縮伸張部と後処理部、あるいは、全体のコアとなるＭＦＰ制御部などの処理は省略して、おおよそのフローがわかるように記載する。
【００４９】
A)ＦＡＸ受信機能            ：ＦＡＸ部→出力画像処理部→プリンタ部
B)ネットワークプリント      ：ＮＩＣ部→ＲＩＰ部→出力画像処理部→プリンタ部
C)外部装置からのプリント    ：専用Ｉ／Ｆ部→出力画像処理部→プリンタ部
D)外部メモリからのプリント  ：ＵＳＢ  Ｉ／Ｆ部→ＲＩＰ部→出力画像処理部→プリンタ部
E)ボックスプリント機能      ：文書管理部→プリンタ部
また、ボックスプリントとは、文書管理部を利用したＭＦＰの処理機能であり、ジョブ毎やユーザ毎に文書管理部内のメモリを分割して一次的にデータを保存して、ユーザIDやパスワードを組み合わせてデータの入出力を行う機能である。
【００５０】
更に、操作部１３６は、上記の様々なフローや機能を選択したり操作指示したりするためのものであるが、操作部の表示装置の高解像度化に伴い、文書管理部にある画像データをプレビューし、確認後ＯＫならばプリントするといったこともできる。
【００５１】
図８はMFP制御部１３０を詳細に説明するブロック図である。
【００５２】
同図は、大きく分けて５つの部分から成っている。すなわち、入力デバイスを管理する入力デバイス管理部、入力されたジョブを解釈する入力ジョブ制御部、ジョブの設定情報を整理する出力ジョブ制御部。そして、出力デバイスを割り当てる出力デバイス管理部、そしてホットフォルダサーバアプリ4aやジョブ管理アプリ４９からの指示をMFP制御部に伝達し印刷ジョブの制御を行うジョブ管理部である。
【００５３】
入力デバイス管理部は、入力デバイス制御部１４２が存在し、入力信号としては、クライアントPC３１からのＰＤＬデータや画像データ、ホットフォルダサーバ4aやジョブ管理アプリ９１やジョブ管理部１４０からのJDFにPPML等がある。
【００５４】
次に、入力ジョブ制御部は、プロトコル解釈部１４３とジョブ生成部１４４から構成されている。入力デバイス制御部から送られてくる一連の操作要求は、コマンド（プロトコル）と呼ばれる命令信号で受信され、プロトコル解釈部１４３でその操作要求の概要が解釈されて、ＭＦＰ内部で理解できる操作手順に変換される。一方、ジョブ生成部はMFP内でどのように処理するかが記述された内部ジョブを生成する。生成されたジョブは、ＭＦＰ内部でどのような処理を施して、どこに送られるかといったそれぞれのシナリオが定義付けされて、そのシナリオに従ってＭＦＰ内部を流れることとなる。
【００５５】
出力ジョブ制御部では、ジョブ解析部１４５、バインダ解析部１４６、ドキュメント解析部１４７及び、ページ解析部１４８において、ジョブの設定情報と画像情報が作成される。ジョブ解析部１４５は、印刷する文書名や印刷部数、出力先の排紙トレイ指定、複数バインダで構成されるジョブのバインダ順などジョブ全体に関わるジョブ設定情報１４９の詳細が解析される。バインダ解析部１４６は、製本方式の設定やステープルの位置、複数ドキュメントで構成されるバインダのドキュメント順などバインダ全体に関わるバインダ設定情報１４aの詳細が解析される。ドキュメント解析部１４７は、複数ページで構成されるドキュメントのページ順、両面印刷の指定、表紙や合紙の付加などドキュメント全体に関わるドキュメント設定情報１４ｂの詳細が解析される。ページ解析部１４８は、画像の解像度、画像の向き（ランドスケープ／ポートレイト）等の各種設定ページ全体に関するページ設定情報１４ｃの詳細が解析されると共に、ＰＤＬデータが入力された場合にはＲＩＰ部１３７を呼び出してラスタライズ処理を施す。なお、画像情報を生成するに当たっては、ＲＩＰ部を呼び出して、ラスタライズ処理にてページ画像情報１４ｆが生成される。ページ画像情報１４ｆは、圧縮伸張部１3aにおいて圧縮された後、文書管理部１3bに設定情報と関連付けされて格納される。
【００５６】
出力デバイス管理部は、出力デバイス制御部１４ｄで構成されている。文書管理部１３ｂに保存された画像情報は圧縮伸張部１３aにて伸張され、関連付けられていた設定情報と一緒に読み出され、設定情報と画像情報は一対になって出力デバイス部に送られてくる。出力デバイス制御部１４ｄは、プリンタ部、インラインフィニッシャなどどのデバイスを利用するかのMFP内部の処理をスケジューリングする。
【００５７】
通信部１４１はホットフォルダサーバアプリ4aや印刷ジョブ管理アプリ４９と印刷ステータスの送受信や印刷ジョブの処理指示を受け取る。ジョブ管理部１４０は、通信部１４１を介してホットフォルダサーバアプリ4aや印刷ジョブ管理アプリ９１から印刷ジョブであるPPMLやJDFを受信したり、印刷ジョブの開始や中断や中止や処理内容の変更の指示を受ける。また、疎の指示内容に従って印刷ジョブの処理を変更する指示をMFP内部の各制御部へ送り、MFPで実行中の印刷ジョブのステータスをEFMへ送る。
【００５８】
図９と図１０と図１３と図１４を用いて、本発明における第一の実施例処理を説明する。
【００５９】
図１３は、ホットフォルダ４６表示される印刷設定画面の例を示す図である。
【００６０】
２３０はホットフォルダの印刷設定画面を示し、２３１は印刷ジョブの送信先デバイス名称を指定するフィールドである。２３２は印刷する部数を設定するフィールドであり、２３３は印刷に使用する用紙種を指定するフィールドであり、２３４は印刷方法として片面印刷か両面印刷かを指定するフィールドである。２３５は頁単位で印刷設定を変更する例外頁の設定ボタンであり、２３６は何ページ目に用紙を挿入するかの挿入紙の設定を行うボタンである。また、２３７は中綴じ製本指定時に左開きか右開きかを指定するフィールドであり、２３８は折りとステイプルを実行するか、どちらも実行しないかを指定するフィールドである。また、２３９はステイプルを実施する際のステイプル箇所は、左上か左下か左中央かを指定するフィールドである。23aはくるみ製本を実施する際に、表紙の原稿と本文の原稿を給紙する先を指定するフィールドである。
【００６１】
２３３の用紙種に普通紙、厚紙(150〜180g/ｍ2)、薄紙などが表示されて選択できる。
【００６２】
また、本実施例では、頁単位で用紙種情報を変更できるようにした。それを設定するためのボタンが２３５であり、頁単位で設定した情報はパーティション情報としてジョブ内に記録されている。
【００６３】
図１４は、例外頁の設定ボタン２３５が押下された場合に表示されるウインドウであり、頁単位で用紙サイズと用紙種を変更できる。本実施例では、用紙サイズと用紙種のみを変更可能としたが、その他の設定が変更可能であっても構わない。
【００６４】
２４０は、例外頁の設定を行うウインドウである。２４１は第一のパーティション情報を設定するフィールドであり、図14では1ページ目から8ページ目までは、用紙サイズ＝A4/用紙種＝普通紙が設定されている。ページの指定は、以下の操作で行う。まず、ポインティングデバイスに連動して動作するマウスポインタをページの入力フィールド上に移動し、マウスのボタンを押下することにより、ページ範囲の入力モードに入る。そしてキーボードよりページ番号を入力することにより行う。また、用紙サイズと用紙種の指定は、"下向き黒塗り三角"ボタン上にマウスポインタを移動し、マウスのボタンを押下すると選択候補項目が記載されたドロップダウンリストが表示される。この中から、マウスポインタとマウスボタンの押下で選択することにより行う。２４２と２４３は、まだ未入力のパーティションフィールドを示している。
【００６５】
図９は、ジョブ管理アプリ４９においてホールドジョブリストを表示している画面を説明する例である。本実施例では、カラーMFP３７に記録されているホールドジョブのリストを表示しているものとする。また、カラーMFP３７にセットされている用紙は、「メインデッキ：普通紙、ペーパデッキ1：厚紙(150〜180g/ｍ2)、ペーパデッキ2=薄紙、ペーパデッキ3＝インデックス紙」とする。そして、ホールドジョブ" プレゼン資料"で使用される用紙種は色紙とする。
【００６６】
この時、９０は、ホールドジョブのリストを表示するジョブ管理アプリケーションのウインドウ画面を示し、９１から９３は、３つのホールドジョブのリストを示している。９４は、用紙種情報が空欄であり、文書管理部13bに記録されているホールドジョブ“プレゼン資料”に設定されている用紙種"色紙"が、カラーMFP３７にセットされていないことを示す。９５と９６は、他のホールドジョブに設定されている用紙種であり、カラーMFP３７に用紙がセットされていることを示している。
【００６７】
図１０は、本実施例の処理を説明するフローチャートである。
【００６８】
まずステップS1にてホールドジョブリストの表示がキーボードやマウスに連動して動作するポインティングデバイスより指示されたかどうかを判断する。表示指示がなされた場合にはステップS2に進み、指示されていない場合にはステップS1にて指示待ちのループをする。ステップS2では、カラーMFP３７より全ホールドジョブの情報を読み込む。そしてステップS3へ進み、カラーMFP３７より、カラーMFP37のカセットにセットされている全用紙種情報を取得する。本実施例では、図９で説明したように、カラーMFP３７には３つのホールドジョブ“プレゼン資料”“8月度報告書”“マニュアル”が記録されているものとする。また、カラーMFP３７のカセットには、「メインデッキ：普通紙、ペーパデッキ1：厚紙(150〜180g/ｍ2)、ペーパデッキ2=薄紙、ペーパデッキ3＝インデックス紙」がセットされているものとする。そしてステップS4へ進み、まだリストに表示していないホールドジョブがあるかどうかを判断する。未表示のホールドジョブがなくなったと判断された場合には、処理を終了し、有ると判断した場合にはステップS5へ進む。ステップS5では、ステップS2で読み込んだ全ホールドジョブの情報の中から、まだ未表示のホールドジョブの情報を一つ読み込む。そしてステップS6にて、ステップS5で読み込んだホールドジョブに記録されている用紙種が、ステップS3で読み込んだ現在カセットにセットされている用紙種情報に存在するかどうかを判断する。存在する場合にはステップS７に進み、ホールドジョブに設定されている用紙種情報をジョブ管理アプリケーションのウインドウに表示する。存在しない場合には、ステップS8へ進み、ホールドジョブに設定されている用紙種情報を空欄として表示する。そしてステップS9では、用紙種以外の情報を表示する。本実施例では、図9で示したようにホールドジョブの情報として、「出力プリンタ名、印刷する部数、用紙のサイズ、ジョブがホットフォルダアプリ４６から送信された日付」の情報が記録されており、且つ表示されるものとする。
【００６９】
図１１と図1２を用いて、本発明における第二の実施例処理を説明する。
【００７０】
図１１は、複数の用紙で構成されているホールドジョブにおいて、そのジョブ内で使用されている詳細用紙種情報を表示している画面を説明する例である。本実施例では、図9のホールドジョブリスト上で“8月度報告書”を選択し、そのジョブ内で使用されている用紙種情報を表示しているものとする。また、カラーMFP３７にセットされている用紙は、「メインデッキ：普通紙、ペーパデッキ1：厚紙(150〜180g/ｍ2)、ペーパデッキ2=薄紙、ペーパデッキ3＝インデックス紙」とする。そして、ホールドジョブ“8月度報告書”で使用される用紙種は厚紙(150〜180g/ｍ2) /インデックス紙/色紙とする。
【００７１】
１１０は、選択されたホールドジョブで使用されている用紙種のリストを表示するジョブ詳細表示ウインドウである。１１１は、1ページ目から8ページ目までの用紙情報を示し、サイズ=A4/用紙種=厚紙(150〜180g/ｍ2)であることを示している。同様に１１２は、9ページ目は、サイズ=A4/用紙種=インデックス紙であることを示し、１１４は11ページ目から16ページ目は、サイズ=A4/用紙種=厚紙(150〜180g/ｍ2)であることを示している。１１３は、10ページ目はサイズ=A4だが、用紙は現在カラーMFP３７にセットされていないことを示すように空欄表示されている。本実施例では、10ページ目に設定されている用紙種は色紙であるものとする。
【００７２】
図1２は、本第二の実施例の処理を説明するフローチャートである。
【００７３】
まずステップS1０にて、ウインドウ９０上のホールドジョブリストから詳細情報を表示するホールドジョブを選択する。本第二の実施例では１つのホールドジョブを選択するものとする。そしてステップS１１にて、ジョブ詳細表示がキーボードまたはポインティングデバイスと連動して動作するマウスカーソルで画面上のコマンドメニューを選択することにより指示されたかどうかを判断する。指示されたならばステップS１２へ進み、指示されていない場合には、指示があるまでステップS11をループする。ステップS12では、選択されたホールドジョブの詳細情報をカラーMFP３７内の、ホールドジョブ情報を記録している文書管理部１３ｂから取得する。そしてステップS13へ進み、カラーMFP３７のカセットにセットされている用紙種の情報を取得する。そしてステップS1４に進み、ステップS１２で取得したホールドジョブの情報をアドレスの先頭から検索し、未表示のパーティション情報を一つメモリ上に取得する。本実施例では、文書データ全体の中でページ毎に設定された個別の情報をパーティション情報と呼ぶこととする。また、パーティション情報は、ページの順番に記録されているものとする。そしてステップS15へ進み、読み込んだパーティション情報にセットされていた用紙種が、カラーMFP３７にセットされているかどうかを判断する。セットされていた場合にはステップS16へ進み、セットされていない場合にはステップS１７へ進む。ステップS16では、パーティション情報に記録されていた用紙種をジョブ詳細表示ウインドウ１１０に表示する。またステップS１７では、用紙種情報を表示しないで空欄とする。空欄は、図１０のフローチャート説明の場合と同様に、ホールドジョブを印刷するカラーMFP３７に、その用紙種がセットされていないことを示している。そしてステップS18にて、パーティションに設定されている用紙サイズの情報を表示する。ステップS19では、未表示のパーティション情報が残っているかどうかを判断する。残っている場合には、ステップS14へ戻りパーティション情報の表示処理を繰り返す。残っていない場合には処理を終了する。図１１は、ホールドジョブが1ページ~8ページ/９ページ/10ページ/11ページ~16ページの４つのパーティションに分けられていることを示している。
【符号の説明】
【００７４】
４９  ジョブ管理アプリ
３７  カラーMFP
１２ｇ  デバイス情報管理部
１３ｂ  文書管理部
９０  ホールドジョブのリストを表示するジョブ管理アプリケーション
９４  空欄表示の用紙種情報
２３３  印刷ジョブ作成時の用紙種設定フィールド
【図１】
2011009980.tif 000003
【図２】
2011009980.tif 000004
【図３】
2011009980.tif 000005
【図４】
2011009980.tif 000006
【図５】
2011009980.tif 000007
【図６】
2011009980.tif 000008
【図７】
2011009980.tif 000009
【図８】
2011009980.tif 000010
【図９】
2011009980.tif 000011
【図１０】
2011009980.tif 000012
【図１１】
2011009980.tif 000013
【図１２】
2011009980.tif 000014
【図１３】
2011009980.tif 000015
【図１４】
2011009980.tif 000016